(57)【要約】【課題】  シリンダ錠のキー操作で収容部材を回動させて電動アクチュエータの出力軸を回動させたときに、出力軸が位置ずれを起こすことのないキャビネットの施解錠装置を提供すること。【解決手段】  キー操作により回動するシリンダ錠１１に、電気信号によって出力軸２７を回動駆動する電動アクチュエータ２６を連接して施解錠を行うようにしたキャビネット１の施解錠装置３であって、電動アクチュエータ２６は、シリンダ錠１１の回動軸１２と一体回動する収容部材１３に収容固定され、かつ収容部材１３の回動により電動アクチュエータ２６の出力軸２７を回動できるとともに、出力軸２７の回動位置を検出することで施解錠状態を検出する施解錠検出手段２４ａ、２４ｂが設けられており、シリンダ錠１１を固定する固定部材１５に、収容部材１３の少なくとも出力軸側の外周部を、回動可能に支持できる支持部材３３を取り付けた。【選択図】  図２
2006316449.tif 000002
【特許請求の範囲】
【請求項１】
キー操作により回動するシリンダ錠に、電気信号によって出力軸を回動駆動する電動アクチュエータを連接して施解錠を行うようにしたキャビネットの施解錠装置であって、前記電動アクチュエータは、前記シリンダ錠の回動軸と一体回動する収容部材に収容固定され、かつ該収容部材の回動により前記電動アクチュエータの出力軸を回動できるとともに、前記出力軸の回動位置を検出することで施解錠状態を検出する施解錠検出手段が設けられており、前記シリンダ錠を固定する固定部材に、前記収容部材の少なくとも出力軸側の外周部を、回動可能に支持できる支持部材を取り付けたことを特徴とするキャビネットの施解錠装置。
【請求項２】
前記収容部材が円筒形状を成しており、かつ前記支持部材が前記収容部材の外周部の全体に当接できる円形孔部を有している請求項１に記載のキャビネットの施解錠装置。
【請求項３】
前記支持部材が、前記収容部材を中心に２つ以上に分割可能となっている請求項１または２に記載のキャビネットの施解錠装置。
【請求項４】
前記施解錠検出手段が、前記出力軸の外周の所定範囲が突出するように設けられたドグと、前記出力軸の周囲に配置されたリミットスイッチによって構成されている請求項１ないし３のいずれかに記載のキャビネットの施解錠装置。
【発明の詳細な説明】
【技術分野】
【０００１】
本発明は、キー操作により回動するシリンダ錠に、電動アクチュエータを連接して電気信号によって施解錠を行うようにしたキャビネットの施解錠装置に関する。
【背景技術】
【０００２】
従来のキー操作及び電動アクチュエータによる施解錠装置として、電動アクチュエータが、シリンダ錠の回動軸に支持される収容部材に収容されて固定されており、電気信号を伝達するケーブルの断線などの電気的トラブルの発生時には、シリンダ錠をキー操作することで収容部材を回動させて電動アクチュエータの出力軸を回動できるようにしているものが知られている（例えば、特許文献１参照）。
【０００３】
同様の施解錠装置としては、キー操作により回動するシリンダ錠の回動軸に、施解錠を行う作動板を作動させる出力軸を備えた電動アクチュエータを連接することで、電気信号によって電動アクチュエータを駆動させるとともに、キー操作により電動アクチュエータを収容した収容部材を介して出力軸を回動させて施解錠できるようにしたものにおいて、出力軸の回動位置で施解錠状態を検出するリミットスイッチが設けられているものも公知である（例えば、特許文献２参照）。
【０００４】
【特許文献１】特開２００４−１０７９１１号公報（第４頁、第２図）
【特許文献２】特開２００３−９７１２６号公報（第４頁、第８図）
【発明の開示】
【発明が解決しようとする課題】
【０００５】
しかしながら、特許文献１、２にあっては、収容部材がシリンダ錠の回動軸にのみ支持されているため、シリンダ錠をキー操作したときに、収容部材における回動軸側と反対の出力軸側が軸揺れを起こし易くなっている。そして特に特許文献２のリミットスイッチを取り付けたものにおいては、電気的トラブルの発生時にシリンダ錠をキー操作した後、再び電動アクチュエータを駆動させようとすると、収容部材の軸揺れが原因で生じる出力軸の位置ずれによって施解錠状態をリミットスイッチが誤検出してしまい、施解錠の誤作動が発生してしまう問題がある。
【０００６】
本発明は、このような問題点に着目してなされたもので、シリンダ錠のキー操作で収容部材を回動させて電動アクチュエータの出力軸を回動させたときに、出力軸が位置ずれを起こすことのないキャビネットの施解錠装置を提供することを目的とする。
【課題を解決するための手段】
【０００７】
前記課題を解決するために、本発明の請求項１に記載のキャビネットの施解錠装置は、
キー操作により回動するシリンダ錠に、電気信号によって出力軸を回動駆動する電動アクチュエータを連接して施解錠を行うようにしたキャビネットの施解錠装置であって、前記電動アクチュエータは、前記シリンダ錠の回動軸と一体回動する収容部材に収容固定され、かつ該収容部材の回動により前記電動アクチュエータの出力軸を回動できるとともに、前記出力軸の回動位置を検出することで施解錠状態を検出する施解錠検出手段が設けられており、前記シリンダ錠を固定する固定部材に、前記収容部材の少なくとも出力軸側の外周部を、回動可能に支持できる支持部材を取り付けたことを特徴としている。
この特徴によれば、シリンダ錠を固定する固定部材に取り付けた支持部材で収容部材の出力軸側の外周部が回動可能に支持されるために、シリンダ錠をキー操作することで収容部材を回動させて電動アクチュエータの出力軸を回動させたときに、収容部材の出力軸側で軸揺れが起きないようになっており、出力軸の位置ずれで発生する施解錠検出手段による施解錠状態の誤検出を防ぐことができる。
【０００８】
本発明の請求項２に記載のキャビネットの施解錠装置は、請求項１に記載のキャビネットの施解錠装置であって、
前記収容部材が円筒形状を成しており、かつ前記支持部材が前記収容部材の外周部の全体に当接できる円形孔部を有していることを特徴としている。
この特徴によれば、円筒形状の収容部材が支持部材の円形孔部に支持されるため、収容部材がどのような回動位置でも支持部材で支持でき、かつ収容部材が上下左右のいずれの方向にも軸揺れが起きないようになっている。
【０００９】
本発明の請求項３に記載のキャビネットの施解錠装置は、請求項１または２に記載のキャビネットの施解錠装置であって、
前記支持部材が、前記収容部材を中心に２つ以上に分割可能となっていることを特徴としている。
この特徴によれば、施解錠装置を組み立てる際に、収容部材を中央に配置した後に支持部材を配置できるようになるので、容易に収容部材を支持部材に支持させて組み立てることができる。
【００１０】
本発明の請求項４に記載のキャビネットの施解錠装置は、請求項１ないし３のいずれかに記載のキャビネットの施解錠装置であって、
前記施解錠検出手段が、前記出力軸の外周の所定範囲が突出するように設けられたドグと、前記出力軸の周囲に配置されたリミットスイッチによって構成されていることを特徴としている。
この特徴によれば、ドグが出力軸の外周の所定範囲が突出するように設けられていることで、出力軸に多少の回動誤差が生じてもリミットスイッチがドグに当接されて検知することができる。
【発明を実施するための最良の形態】
【００１１】
本発明に係るキャビネットの施解錠装置を実施するための最良の形態を実施例に基づいて以下に説明する。
【実施例】
【００１２】
本発明の実施例を図面に基づいて説明すると、先ず図１は、複数のキャビネットを施解錠制御するシステム構成図である。図１の符号１は、書類等を収納できるキャビネットであり、このキャビネット１は、上部に引戸構造の収納部２を有するとともに、下部に引出構造の収納部２を有している。またキャビネット１は複数台並べられており、各々のキャビネット１の前面側には、収納部２の扉を施錠するための本実施例における施解錠装置としての電子錠３と、収納部２の施解錠状態を確認できる確認ランプ４が備えられている。更に１台のキャビネット１の天板上には、操作者が所有するリモートコントローラ５から送信される施解錠信号を受信する受信アンテナ６が設置されている。
【００１３】
また図１に示すように、電子錠３並びに確認ランプ４は、それぞれ制御ユニット７に接続されるとともに、受信アンテナ６がコントロールユニット８に接続されている。各々のキャビネット１の電子錠３並びに確認ランプ４を制御する制御ユニット７は、直列に接続されて１つのコントロールユニット８に接続されている。このコントロールユニット８は、受信アンテナ６で受信した信号や各種データの保存、並びに電気信号を発信するために管理コンピュータ９に接続されている。
【００１４】
更に図１に示すように、このキャビネット１は、操作者が所有するリモートコントローラ５を施錠操作することによって、施錠信号が受信アンテナ６に向けて送信される。受信アンテナ６を介して受信された施錠信号は、コントロールユニット８に取り込まれ、コントロールユニット８が電子錠３に対して施錠信号を送信し、電子錠３が施錠状態となって確認ランプ４が点灯するようになっている。尚、操作者がリモートコントローラ５を解錠操作したときも同様に、電子錠３が解錠状態となり、確認ランプ４が消灯するようになっている。
【００１５】
次に、キャビネット１に備えられている電子錠３について図２から図５を参照して詳述する。図２は、キャビネット１に備えられた電子錠３を示す分解斜視図であり、図３は、キャビネット１に備えられた電子錠３を示す側面図であり、図４は、図３における電子錠３のＡ−Ａ部分横断平面図であり、図５は、背面方向から見た電子錠３であり、図５（ａ）は、施錠状態を示しており、図５（ｂ）は、解錠状態を示している。以下、図３の左側を電子錠３の正面側（前方側）、図４では、その下方側を電子錠３の正面側（前方側）として説明する。
【００１６】
図２及び図３に示すように、この電子錠３は、キー１０を差し込んでキー操作を行うことにより手動で施解錠を行うことができるシリンダ錠１１を有しており、このシリンダ錠１１は、後方側にキー操作で回動される回動軸１２を有している。回動軸１２には、円筒形状の収容部材１３が固着されており、シリンダ錠１１の両側部には、取付片１４が側方に延設されている。
【００１７】
また、図２及び図３に示すように、この電子錠３はキャビネット１の構造体（図示略）に電子錠３を固定するための固定部材１５を備えており、この固定部材１５は金属製の板状部材の前方側と後方側が上方に屈曲されて形成された取付片１６、１７を有している。固定部材１５の前方側の取付片１６には、シリンダ錠１１を係合できる切欠部１８が形成されているとともに、ネジ１９が挿通される挿通孔２０が形成されており、シリンダ錠１１を固定するための取付金具２１がネジ１９によって、取付片１６に取り付けられるようになっている。そして、シリンダ錠１１の取付片１４が、固定部材１５の前方側の取付片１６と、取付金具２１の間に挟持されることで、シリンダ錠１１が固定部材１５に固定される。
【００１８】
更に図２及び図４に示すように、固定部材１５には、左右側部に形成された挿通孔２２にネジ２３が挿通されることによって、キャビネット１の構造体（図示略）に固定されるようになっている。固定部材１５の後方側の取付片１７は、左右に２つ形成されており、各々の取付片１７にリミットスイッチ２４ａ、２４ｂが取り付けられる。このリミットスイッチ２４ａ、２４ｂは、側方から取付片１７に螺合される調節ネジ２５によって、リミットスイッチ２４ａ、２４ｂの配置角度が最適になるように調節される。
【００１９】
図４に示すように、シリンダ錠１１の回動軸１２に固着されている収容部材１３の内部には、モータに減速機が取り付けられた電動アクチュエータ２６が収容固定されている。この電動アクチュエータ２６の出力軸２７には、後方に向けて突設された偏心ピン２８を備えた略円盤状の回動板２９が固着される。偏心ピン２８は、キャビネット１の収納部２の扉の施解錠を行う作動板３０に形成された横長孔状の係合溝３１に係合されている。偏心ピン２８が回動されると作動板３０は上下方向に直線往復移動され、図示しない施解錠構造を作動させることでキャビネット１の収納部２の扉の施解錠を行うようになっている。
【００２０】
図５（ａ）に示すように、回動板２９の外周面には、所定範囲にわたって外方に突出されたドグ３２が設けられている。本実施例では回動板２９の軸心を中心として回動板２９の外周面における所定角度θ（約６０°）の範囲にドグ３２が突設されている。回動板２９が回動されてドグ３２が所定位置に配置されるとリミットスイッチ２４ａ、２４ｂを押圧し、施解錠状態を管理コンピュータ９が把握できるようになっている。尚、リミットスイッチ２４ａ、２４ｂとドグ３２が本実施例における施解錠検出手段を構成している。
【００２１】
図２に示すように、収容部材１３の左右両側には、支持部材３３が配置されるようになっている。この支持部材３３は、金属製の板状部材の前方側と後方側が屈曲されて立設片３４、３５が形成されている。尚、各々の立設片３４、３５には、半円形状に切り欠かれた切欠部３４ａ、３５ｂが形成されており、収容部材１３の外周面（外周部）全体に渡って当接できる形状になっている。
【００２２】
図２及び図４に示すように、支持部材３３は、支持部材３３に設けられたネジ孔３６に、固定部材１５に挿通されたネジ３７が螺合されることによって、固定部材１５に固着されるようになっている。支持部材３３が固定部材１５に固定されると、支持部材３３の切欠部３４ａ、３５ｂが左右方向から収容部材１３を挟持するように配置され、本実施例における円形孔部を形成するようになっている。支持部材３３の前後に配置される立設片３４、３５は、その円形孔部により収容部材１３の前端部の外周面と、後端部（出力軸側）の外周面を回動可能に支持するようになっている。
【００２３】
尚、２つの支持部材３３を合体させることで円形孔部を形成することで、電子錠３を組み立てる際に、収容部材１３を中央に配置した後に支持部材３３を配置できるようになるので、容易に収容部材１３を支持部材３３に支持させて組み立てることができる。
【００２４】
尚、施解錠を行う際に、電動アクチュエータ２６を駆動させると、出力軸２７に固着された回動板２９が回動し、偏心ピン２８が偏心運動するようになっている。図５（ａ）に示すように、電動アクチュエータ２６を駆動させたときに、偏心ピン２８が回動されて上方の位置に配置されると、キャビネット１の収納部２の扉は施錠されるようになっている。このとき回動板２９の外周面に設けられたドグ３２が、図５（ａ）中における左側に配置されるリミットスイッチ２４ａを押圧し、電動アクチュエータ２６の駆動が停止されるとともに、キャビネット１の確認ランプ４が点灯し、施錠状態を示す電気信号が管理コンピュータ９に送信されるようになっている。
【００２５】
また、図５（ｂ）に示すように、偏心ピン２８が下方の位置に配置されると、キャビネット１の収納部２の扉は解錠されるようになっている。このとき回動板２９の外周面に設けられたドグ３２が、図５（ｂ）中における右側に配置されるリミットスイッチ２４ｂを押圧し、電動アクチュエータ２６の駆動が停止されとともに、キャビネット１の確認ランプ４が消灯し、解錠状態を示す電気信号が管理コンピュータ９に送信されるようになっている。
【００２６】
図５（ａ）及び図５（ｂ）に示すように、ドグ３２が回動板２９の外周面の所定範囲が突出するように設けられていることで、電動アクチュエータ２６の駆動によって、回動板２９に多少の回動誤差が生じてドグ３２の回動停止位置が変化しても、リミットスイッチ２４ａ、２４ｂがドグ３２に当接され、管理コンピュータ９が施解錠状態を把握できるようになっている。
【００２７】
また、電気信号を伝達するケーブルの断線や、管理コンピュータ９の不具合による電気的トラブルの発生時には、シリンダ錠１１にキー１０を差し込んで、キー操作することで収容部材１３を回動できるようになっている。収容部材１３の回動によって、電動アクチュエータ２６の出力軸２７に固着された回動板２９が回動されるようになっており、手動のキー操作によって施解錠を行うことができる。
【００２８】
更に、支持部材３３によって収容部材１３が支持されていることで、シリンダ錠１１のキー操作によって収容部材１３を回動させて、偏心ピン２８が設けられた回動板２９を回動させたときに、収容部材１３の後端部（出力軸側）で軸揺れが起きないようになっており、回動板２９が上下方向若しくは左右方向に位置ずれを起こさないようになっている。
【００２９】
尚、回動板２９が上下方向若しくは左右方向に位置ずれを起こすと、ドグ３２によってリミットスイッチ２４ａ、２４ｂを押圧する力が弱まって、本来押圧しなければならないリミットスイッチ２４ａ、２４ｂが十分に押圧されず、施解錠状態を誤検出してしまうことがある。しかし、本発明の施解錠装置では、支持部材３３によって収容部材１３が支持されることで、回動板２９の位置ずれを防止でき、施解錠状態の誤検出を防ぐことができる。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、前記実施例では、収容部材１３を支持する切欠部３４ａ、３５ｂが形成された立設片３４、３５が、支持部材３３の前方側と後方側に形成されており、収容部材１３の前端部の外周と、後端部（出力軸側）の外周面を回動可能に支持していたが、本発明はこれに限定されるものではなく、収容部材１３の後端部（出力軸側）のみを支持できるように、支持部材３３の後方側にのみに、立設片３５を形成するようにしてもよい。
【００３２】
また、前記実施例では、収容部材１３の左右に配置される２つの支持部材３３に、それぞれ半円形状の切欠部３４ａ、３５ｂが形成され、２つの支持部材３３が合体されることで、円形孔部が形成されるようになっていたが、本発明はこれに限定されるものではなく、１つの支持部材３３に円形孔部を形成し、この円形孔部にシリンダ錠１１の収容部材１３を挿設させるようにしてもよい。
【００３３】
更に、前記実施例では、収容部材１３の軸揺れを防ぐために、収容部材１３の外周面が当接される支持部材３３が円形孔部を有していたが、本発明はこれに限定されるものではなく、収容部材１３の外周部に上下方向と左右方向から当接できるように、略四角形状の孔部を形成して収容部材１３を支持させるようにしてもよい。
【図面の簡単な説明】
【００３４】
【図１】複数のキャビネットを施解錠制御するシステム構成図である。
【図２】キャビネットに備えられた電子錠を示す分解斜視図である。
【図３】キャビネットに備えられた電子錠を示す側面図である。
【図４】図３における電子錠のＡ−Ａ部分横断平面図である。
【図５】背面方向から見た電子錠であり、（ａ）は、施錠状態を示しており、（ｂ）は、解錠状態を示している。
【符号の説明】
【００３５】
１                キャビネット
３                電子錠（施解錠装置）
１１              シリンダ錠
１２              回動軸
１３              収容部材
１５              固定部材
２４ａ、２４ｂ    リミットスイッチ（施解錠検出手段）
２６              電動アクチュエータ
２７              出力軸
２８              偏心ピン（出力軸）
２９              回動板（出力軸）
３２              ドグ（施解錠検出手段）
３３              支持部材
３４ａ、３５ｂ    切欠部（円形孔部）
【図１】
2006316449.tif 000003
【図２】
2006316449.tif 000004
【図３】
2006316449.tif 000005
【図４】
2006316449.tif 000006
【図５】
2006316449.tif 000007